(57)【要約】  本開示は、毛切断器具（１０）、特に電動ボディグルーミング器具（１０）、及び毛切断器具（１０）のための切断ヘッド（１８）に関し、切断ヘッド（１８）は、静止ブレード（３６）及びカッタブレード（３８）を含むブレードセット（２０）であって、静止ブレード（３６）及びカッタブレード（３８）は、静止ブレード（３６）及びカッタブレード（３８）のそれぞれの歯（６２、６４）によって共同で定められる少なくとも１つの歯付き前縁部（２２、２４）を有し、静止ブレード（３６）及びカッタブレード（３８）の歯（６２、６４）は基本的に長手方向（Ｘ）に延びる、ブレードセット（２０）と、静止ブレード（３６）の歯（６２）と位置合わせされる複数のガイドタブ（７８）を有する皮膚プロテクタ（７６）と、を有し、静止ブレード（３６）はさらに、特にその歯（６２）に、前面（５８）を有し、前面（５８）は、動作するとき、ユーザの皮膚に面するように配置され、カッタブレード（３８）は、特に静止ブレード（３６）の歯（６２）に、前面（５８）から離れる方を向く静止ブレード（３６）の後面（６０）に、少なくとも部分的に配置され、皮膚プロテクタ（７６）のガイドタブ（７８）は、長手方向変位方向において静止ブレード（３６）の歯（６２）の長手方向先端部（６６）に隣接して配置され、皮膚プロテクタ（７６）は、前面（９２）を画定し、皮膚プロテクタ（７６）の前面（９２）は、静止ブレード（３６）の前面（５８）から少なくとも部分的に後方にオフセットされる。
2017500961.tif 000002
【特許請求の範囲】
【請求項１】
毛切断器具、特に電動ボディグルーミング器具のための切断ヘッドであって：
−  静止ブレード及びカッタブレードを有するブレードセットであって、前記静止ブレード及び前記カッタブレードは、前記静止ブレード及び前記カッタブレードのそれぞれの歯によって共同で画定される少なくとも１つの歯付き前縁部を有し、前記静止ブレード及び前記カッタブレードの前記歯は基本的に長手方向に延びる、ブレードセットと、
−  前記静止ブレードの前記歯と位置合わせされる複数のガイドタブを有する皮膚プロテクタと、を有し、
前記静止ブレードはさらに、特にその歯に、前面を有し、前記前面は、動作するとき、ユーザの皮膚に面するように配置され、
前記カッタブレードは、特に前記静止ブレードの前記歯において、前記前面から離れる方を向く前記静止ブレードの後面に、少なくとも部分的に配置され、
前記カッタブレードは、毛を切るために前記静止ブレードに対して往復動されることができ、
前記皮膚プロテクタの前記ガイドタブは、長手方向変位方向において前記静止ブレードの前記歯の長手方向先端部に隣接して配置され、
前記皮膚プロテクタは、特にその前記ガイドタブにおいて、前面を画定し、前記前面は、動作するとき、ユーザの皮膚に面するように配置され、
前記皮膚プロテクタの前記前面は、前記静止ブレードの前記前面から少なくとも部分的に後方にオフセットされ、
前記皮膚プロテクタは、前記切断ヘッドのハウジング領域の対応する係合部分に適合する少なくとも１つのスナップ留め要素を有する、
切断ヘッド。
【請求項２】
前記皮膚プロテクタは、フレームボディから延びる少なくとも１列のガイドタブを有し、前記列のガイドタブは、前記静止ブレードの前記歯の間に配置されるそれぞれの歯溝と位置合わせされる、それらの間に配置される間隔をあけるスロットと互い違いになる、
請求項１に記載の切断ヘッド。
【請求項３】
前記静止ブレードにおける前記歯の数は、前記皮膚プロテクタにおける前記ガイドタブの数以上であり、前記皮膚プロテクタにおける前記ガイドタブの数に対する前記静止ブレードの前記歯の数の比は、好ましくは、整数である、
請求項１又は２に記載の切断ヘッド。
【請求項４】
前記ブレードセットは両側ブレードセットであり、前記静止ブレード及び前記カッタブレードは、第１の歯付き前縁部及び前記第１の歯付き前縁部から離れる方を向く第２の歯付き前縁部を定め、前記第１の歯付き前縁部及び前記第２の歯付き前縁部は、互いに長手方向に離間され、前記皮膚プロテクタは、前記第１の歯付き前縁部に関連付けられる前記ガイドタブの第１の配置及び前記第２の歯付き前縁部に関連付けられる前記ガイドタブの第２の配置を有する、
請求項１乃至３のいずれか１項に記載の切断ヘッド。
【請求項５】
前記第１の歯付き前縁部における前記静止ブレードの前記歯及び前記第２の歯付き前縁部における前記静止ブレードの前記歯は、互いに横方向にオフセットされ、前記ガイドタブの前記第１の配置及び前記ガイドタブの前記第２の配置は、同様の方法で互いにオフセットされる、
請求項４に記載の切断ヘッド。
【請求項６】
前記皮膚プロテクタは、前記切断ヘッドに解放可能に取り付けられるアタッチメント皮膚プロテクタとして構成され、前記皮膚プロテクタは好ましくは、弾性材料、特にプラスチック材料から作られる一体形成部品である、
請求項１乃至５のいずれか１項に記載の切断ヘッド。
【請求項７】
前記皮膚プロテクタのセットが提供され、前記セットは、前記切断ヘッドに解放可能に取り付けられ且つそれらの前記ガイドタブの数及び形状において異なる、
請求項１乃至６のいずれか１項に記載の切断ヘッド。
【請求項８】
前記皮膚プロテクタ及び前記切断ヘッドは、前記皮膚プロテクタの逆にされた取り付けが妨げられることができるように前記切断ヘッドにおける前記皮膚プロテクタの取付位置を定めるように構成される、少なくとも１つの位置決め要素及び少なくとも１つの対応する係合要素を有する、
請求項１乃至７のいずれか１項に記載の切断ヘッド。
【請求項９】
前記ブレードセット及び前記切断ヘッドのハウジング領域は、前記ブレードセットの逆にされた取り付けが妨げられることができるように前記切断ヘッドにおける前記ブレードセットの取付位置を定めるように構成される少なくとも１つの位置決め要素及び少なくとも１つの対応する係合要素を有する、
請求項１乃至８のいずれか１項に記載の切断ヘッド。
【請求項１０】
前記皮膚プロテクタの前記ガイドタブは、特に前記皮膚プロテクタの前記前面において、５．０ｍｍ未満である、好ましくは、約３．０ｍｍである、長手方向の長さを有する、
請求項１乃至９のいずれか１項に記載の切断ヘッド。
【請求項１１】
前記皮膚プロテクタの前記前面は、約０．０ｍｍから約０．５ｍｍの範囲の、好ましくは約０．３５ｍｍから約０．５ｍｍの範囲のオフセット寸法で前記静止ブレードの前記前面から後方にオフセットされる、
請求項１乃至１０のいずれか１項に記載の切断ヘッド。
【請求項１２】
前記皮膚プロテクタの前記ガイドタブは、それらの長手方向端部に端部先端部を有し、前記端部先端部は、前記前面と前記ガイドタブのそれぞれの傾斜端部表面とを接続し、前記前面と前記ガイドタブの前記傾斜端部表面との間の傾斜の角度が、約３０°から６０°の範囲にある、好ましくは、約４０°から５０°の範囲にある、より好ましくは約４５°である、
請求項１乃至１１のいずれか１項に記載の切断ヘッド。
【請求項１３】
前記皮膚プロテクタは、フレームボディによって形成されるループ状閉鎖構造を有し、前記閉鎖構造はブレード開口を囲み、前記ブレードセットは、取付状態において、前記ブレード開口に配置され、前記フレームボディは、長手方向端部において２つの反対側の、実質的に横方向に及び垂直に延びるベースラグ、及び横方向端部において、２つの反対側の、実質的に長手方向に及び垂直に延びる側部ラグを有し、前記ベースラグ及び前記側部ラグの少なくとも一方は、取付アライメント機構、具体的には凹部又は突出部を有する、
請求項１乃至１２のいずれか１項に記載の切断ヘッド。
【請求項１４】
前記側部ラグは、前記ブレードセットの横方向端部に隣接して配置される基本的にＵ形状の横方向ブラケット部分に結合され、前記ベースラグ及び前記側部ラグの少なくとも一方は、スナップ留め機構を有するとともに、前記切断ヘッドのハウジング領域における相手係合要素に係合するための少なくとも１つの係合要素を含む、
請求項１３に記載の切断ヘッド。
【請求項１５】
毛切断器具、特に、電動ボディグルーミング器具であって、前記毛切断器具は、請求項１乃至１４のいずれか１項に記載の切断ヘッド及び皮膚プロテクタを有する、
毛切断器具。
【発明の詳細な説明】
【技術分野】
【０００１】
本発明は、毛切断器具、特に電動ボディグルーミング（body  grooming）器具のための切断ヘッドに関し、切断ヘッドは、静止ブレード及びカッタブレードを含むブレードセットを有し、静止ブレード及びカッタブレードは、静止ブレード及びカッタブレードのそれぞれの歯によって共同で定められる少なくとも１つの歯付き前縁部（leading  edge）を有し、切断ブレードは、毛を切るために静止ブレードに対して往復動されることができる。本開示はさらに、毛切断器具、特にそれぞれの切断ヘッドを備える電動ボディグルーミング器具に関する。
【背景技術】
【０００２】
毛切断器具は、一般的に知られており、毛トリマ、バリカン及びシェーバを含み得る。電気毛切断器具は、配電線で供給される電気によって及び／又はバッテリによって動かされる。一般的に、毛切断器具は、人がきちんとした外観を有することを可能にするように、顔の毛及び頭の毛を整えるために使用される。この目的のため、専用毛切断器具、例えば、かみそり、シェーバ及びバリカンが良く知られている。
【０００３】
これに関連して、特許文献１は、ブレードボディ及びブレードヘッドを有する二枚ブレード毛トリミング装置を開示している。駆動装置が、ブレードボディの中に配置される。ブレードヘッドは、厚いブレード歯エッジ及び薄いブレード歯エッジを有する。さらに、ブレードヘッドは、固定ブレード及び可動ブレードを有する。固定ブレード及び可動ブレードは、それらの２つの対向するエッジにおいて、歯セクションをそれぞれ備える。可動ブレードは、毛を整えるために固定ブレードに対応して往復して動く。厚いブレード歯エッジは、荒く毛を切断する／整える動作のために使用されることになっている。薄いブレード歯エッジは、細かく整える／切断する動作のために使用されることになっている。
【０００４】
特許文献２は、電気カミソリのためのシェービングヘッドを開示し、外側静止ブレード及び内側可動ブレードを有し、これらの外側静止ブレード及び内側可動ブレードは、毛を切るように協働し、外側ブレードは保護櫛部と接続され、外側ブレード及び保護櫛部は管状ボディを共同で画定し、外側ブレード及び保護櫛部はそれぞれの歯を有し、保護櫛部の歯のピッチは、静止ブレードの歯のピッチと同じである。
【０００５】
特許文献３は、溝付き（slotted）静止カッタ、前記静止カッタに対してスライド可能な可動カッタ、前記静止カッタのそれぞれの側部に位置する溝付きガード部材であって前記溝付きガード部材の溝は前記静止カッタの溝と位置合わせされている溝付きガード部材、それぞれのガード部材及び静止カッタの中間に位置するスペーサ部材、及び前記静止カッタ、前記ガード部材及び前記スペーサ部材にそれぞれ係合するとともにそれらを単一のユニットに一体にする接続要素を有するシェービングヘッドを開示する。
【０００６】
しかし、近年、いわゆるボディグルーマー（body  groomer）に対する増加する需要が認められている。ボディグルーマー又はボディグルーミング器具は、ユーザの首、顔又は頭を含まない体の領域の体毛を除去する、整える又は切るために使用され得る専用毛切断器具と称され得る。言い換えると、ボディグルーミング器具はまた、全身の毛切断及び／又はトリミング器具とも称され得る。ボディグルーミング器具は、したがって、特に、ユーザの敏感な皮膚の領域での、例えば、陰部（陰部の毛の切断）、到達しづらい領域等での毛切断動作に適するべきである。ボディグルーミング器具のためのさらなる用途は、脚のシェービング及び／又は脇毛剃りであり得る。
【０００７】
シェーバ及び／又は頭の毛トリマもまた一般的にこれらの用途に使用されていることが認められているが、幾つかの理由のために、多くのユーザは、上述のボディグルーミング用途のために別個のボディグルーミング器具を使用することを好むことが観察されている。これは、一方では、衛生上の理由と健康上の理由を有し得る。さらに、幾つかの体の領域におけるユーザの皮膚が特に、従来のシェーバ及び／又はトリマに対して特に敏感であることが観察されている。したがって、従来の既製のシェービング及び／又は頭の毛切断器具を使用することは、これらの敏感な領域における著しい皮膚刺激を引き起こし得る。
【０００８】
皮膚領域がユーザに実際に到達しづらいとき、処理されることになる皮膚領域に対して毛切断器具を正しく向ける及び／又は位置合わせすることが挑戦的であり得ることがさらに観察されている。皮膚に対する、毛切断器具の、特にその切断ヘッドの位置ずれはさらに皮膚刺激又は皮膚の切り傷さえ引き起こし得る。
【０００９】
したがって、まだ全身グルーミング器具の改良の余地がある。
【先行技術文献】
【特許文献】
【００１０】
【特許文献１】ＵＳ  ２０１４/００２６４２２  Ａ１
【特許文献２】ＣＨ  ２０６  ２５２  Ａ
【特許文献３】ＵＳ  ２，２６２，３８８  Ａ
【発明の概要】
【発明が解決しようとする課題】
【００１１】
したがって、本発明の目的は、毛切断器具のための、特に電動ボディグルーミング器具のための、切断ヘッドを提供することであり、これは、上述の欠点及び問題の少なくとも幾つかに対処し得る。特に、本開示の目的は、特に全身グルーミング器具に、より具体的には敏感な皮膚領域の毛の切断及び／又は脱毛に適する切断ヘッドを提供することである。敏感な皮膚領域において毛を切るときに皮膚刺激のリスクを減少させる切断ヘッドを提供することはさらに有利である。好ましくは、皮膚損傷のリスク及び／又は皮膚の切り傷でさえ著しく減らされることができる。切断ヘッドが全般的な切断性能に悪影響を及ぼすことなしにコスト効率が良い方法で特に全身グルーミング器具に設置され得ることがさらに好ましい。本開示の他の目的は、それぞれの切断ヘッドを備える、毛切断器具、特にボディグルーミング器具を提供することである。
【課題を解決するための手段】
【００１２】
本開示の第１の態様では、毛切断器具、特に電動ボディグルーミング器具のための切断ヘッドが提示され、切断ヘッドは：
−  静止ブレード及びカッタブレードを有するブレードセットであって、静止ブレード及びカッタブレードは、静止ブレード及びカッタブレードのそれぞれの歯によって共同で画定される少なくとも１つの歯付き前縁部を有し、静止ブレード及びカッタブレードの歯は基本的に長手方向に延びる、ブレードセットと、
−  前記静止ブレードの歯と位置合わせされる複数のガイドタブを有する皮膚プロテクタと、を有し、
静止ブレードはさらに、特にその歯に、前面を有し、前面は、動作するとき、ユーザの皮膚に面するように配置され、
カッタブレードは、特に静止ブレードの歯において、前面から離れる方を向く静止ブレードの後面に、少なくとも部分的に配置され、
カッタブレードは、毛を切るために静止ブレードに対して往復動されることができ、
皮膚プロテクタのガイドタブは、長手方向変位方向において静止ブレードの歯の長手方向先端部に隣接して配置され、
皮膚プロテクタは、特にそのガイドタブにおいて、前面を画定し、前面は、動作するとき、ユーザの皮膚に面するように配置され、
皮膚プロテクタの前面は、静止ブレードの前面から少なくとも部分的に後方にオフセット(offset)され、
皮膚プロテクタは、切断ヘッドのハウジング領域の対応する相手部分（mating  portion）に適合する少なくとも１つのスナップ留め（snap-on）要素を有する。
【００１３】
上述の態様は、毛切断器具が毛を切る及び／又は整える試みで皮膚に沿って動かされるとき、皮膚プロテクタのガイドタブが「波よけ堤（wave  breaker）」として作用し得るという洞察に基づく。これは、皮膚プロテクタが、次の切断動作のために皮膚を準備するように処置されることになる皮膚部分に実際に接触し得ることを含む。典型的には、ブレードセットが皮膚に沿って動かされるとき、いわゆる皮膚隆起が形成されることができ、これは、ブレードセットの切断エッジと接触するようになり得る可能性が高い。皮膚が敏感且つ柔らかいほど、皮膚隆起又は皮膚ドームのリスクが高くなり得る。したがって、皮膚プロテクタのガイドタブの配置は、皮膚隆起及び／又は皮膚ドームの形成を避けるために皮膚を滑らかにするために使用され得る。したがって、皮膚刺激のリスクは、著しく減らされ得る。
【００１４】
さらに、皮膚プロテクタは、切られることになる毛のためのガイドとして作用し得る。概して、皮膚プロテクタのガイドタブは、静止ブレードの歯の長手方向延長部と見なされ得る。ガイドタブは静止ブレードの歯と位置合わせされるので、ガイドタブの間のそれぞれのスロット又はスペースもまた、静止ブレードの歯の間のそれぞれのスロットとも位置合わせされる。したがって、毛は、静止ブレードに案内されることができるとともに、静止ブレードに対するカッタブレードの往復運動に際しハサミ様切断動作で切られることができる。
【００１５】
上述のように、皮膚プロテクタの前面は、静止ブレードの前面から少なくとも部分的に後方にオフセットされている。したがって、皮膚プロテクタは、所望の（残りの）長さに毛を整えるために典型的に使用される従来の間隔をあける取り付け櫛部と見なしてはならない。皮膚プロテクタが切断ヘッドに取り付けられていても、多くの用途において毛を完全に除去又は切断する（好ましくは、残りの長さが０．０ｍｍ又はほぼ０．０ｍｍ）ことが依然として望まれる。したがって、皮膚プロテクタは、整えられることになる皮膚と実際に接触するようになる皮膚プロテクタの前面が、そのような切断動作の間に皮膚と実際に接触するようになる静止ブレードの前面から後方にオフセットされるので、切断ヘッドのシェービング性能にそれほど影響を及ぼさない。言い換えると、ブレードセット、特に、その静止ブレードは、動作するとき、皮膚に向かって、皮膚プロテクタを、特にその前面を超えて少なくとも僅かに突出する。
【００１６】
皮膚プロテクタを備える切断ヘッドが特に、全身トリミング及び／又はグルーミング動作に適する。切断ヘッドは、陰部、脇の下等のような敏感な皮膚領域で使用されることができる。切断ヘッドは特に、陰部の毛の切断、特に陰部のシェービング、脇の下のシェービング、脚のシェービング等に適する。概して、皮膚プロテクタを備える切断ヘッドは、ユーザがかろうじてアクセス可能及び／又見える到達するのが困難な皮膚領域で使用され得る。
【００１７】
概して、皮膚プロテクタの前面及び静止ブレードの前面は、平行な方法で互いにオフセットされ得る。しかし、厳密に平行なオフセットは、必ずしも必要とされるわけではない。この点で、製造公差に関して、必要とされる抜き勾配（draft  angle）及び皮膚プロテクタの前面と静止ブレードの前面との間の少なくとも僅かな角度偏移にさらに影響する要因が生じ得ることが認められる。さらに、皮膚プロテクタの前面及び静止ブレードの前面は、切断ヘッドの基準座標系Ｘ−Ｙ−Ｚの全体の長手方向Ｘ及び全体の横方向Ｚによって定められる平面に基本的平行であり得る。しかし、これは必要な必要条件ではない。さらに、皮膚プロテクタの前面及び／又は静止ブレードの前面は、好ましくは、実質的に平面形状を有する。しかし、これは、必要な基本的な必要条件ではない。
【００１８】
例えば、再び抜き勾配、製造の問題等に言及すると、皮膚プロテクタの前面及び静止ブレードの前面の少なくとも一方は、少なくとも部分的に又は断面的に湾曲し得る。しかし、皮膚プロテクタの前面及び静止ブレードの前面のそれぞれは、長手方向Ｘ及び横方向Ｚによって定められる平面に実質的に平行である少なくとも実質的に平面形状を有し得る。静止ブレードの前面は、静止ブレードの少なくとも歯において、長手方向Ｘ及び横方向Ｚによって定められる平面に対して少なくとも僅かに後方に傾けられ得る。加えて、又は代替的には、少なくとも部分的にガイドタブにおいて、皮膚プロテクタの前面は、長手方向Ｘ及び横方向Ｚによって定められる平面に対して僅かに後方に傾けられ得る。
【００１９】
皮膚プロテクタは、一般的に、皮膚保護ガードと称され得る。皮膚プロテクタは、身づくろいされることになる皮膚を滑らかにするために、調整する（condition）ために及び／又は同じ高さにする（level）ために配置される。皮膚プロテクタのガイドタブは、一般的に、ガイド歯、ガードリブ等と称され得る。
【００２０】
これに関連して、皮膚プロテクタが孤立して本開示の別個の独立した態様を形成し得ることに何の価値もない。皮膚プロテクタは、切断ヘッドに取り付けられ得るとともに、向上した皮膚保護機能を持つ切断ヘッドを提供し得る。したがって、それぞれの皮膚プロテクタを備える切断ヘッドが特に、敏感な皮膚領域の毛切断及び／又はシェービング動作に適する。
【００２１】
少なくとも１つのスナップ留め要素のおかげで、皮膚プロテクタの取り付け及び／又は取り外しはさらに容易にされることができる。したがって、切断ヘッドが１より多い皮膚プロテクタを備えることができ、それぞれの皮膚プロテクタは、例えば、それらのガイドタブの数及び形状が異なり得ることがさらに想定され得る。
【００２２】
本開示の文脈の中のボディグルーミング器具は、好ましくは、静止ブレード及びカッタブレードを有するブレードセットに隣接するフォイルシェービング部（foil  shaving  section）を実装しない装置である。言い換えると、中心トリミングブレードセット及び２つの隣接するフォイルシェービング部の組み合わせを実装する従来のひげそり−これは顔の毛をシェービングするのに良く適している−は、ボディグルーミング、特に全身グルーミング用途に良く適していない。したがって、少なくとも幾つかの実施形態と関連して、ボディグルーミング器具はまた、非フォイルタイプ又はフォイル無し全身グルーマーとも称され得る。
【００２３】
１つの実施形態では、皮膚プロテクタは、フレームボディから延びる少なくとも１列のガイドタブを有し、列のガイドタブは、静止ブレードの歯の間に配置されるそれぞれの歯溝と位置合わせされる、それらの間に配置される間隔をあけるスロット（spacing  slot）と互い違いになる。横方向Ｚにおけるガイドタブの厚さが横方向Ｚにおける歯の厚さに適合されることがさらに好ましい。ガイドタブは、それぞれの歯と位置合わせされるので、ガイドタブの間のスロット及び歯の間のスロットもまた互いに位置合わせされる。したがって、毛は、ガイドタブの間の間隔をあけるスロットに入り得るとともに、体毛を通る切断ヘッドの運動に際して静止ブレードの歯の間のスペースに案内され得る。
【００２４】
切断ヘッドの他の実施形態では、静止ブレードにおける歯の数は、皮膚プロテクタにおけるガイドタブの数以上であり、皮膚プロテクタにおけるガイドタブの数に対する静止ブレードの歯の数の比は、好ましくは、整数である。言い換えると、比は、例えば、１：１、２：１、３：１、４：１等、整数の中にあり得る。
【００２５】
結果として、必ずしも静止ブレードのそれぞれの歯は、皮膚プロテクタのそれぞれのタブに割り当てられる必要はない。しかし、それぞれの場合で、各ガイドタブは、それぞれの歯と位置合わせされ得る。例えば、上述の比が２：１である場合、皮膚プロテクタのガイドタブの間のスペースは、２つの間隔をあけるスロット及びその間に配置された静止ブレードの歯に割り当てられ得るとともに位置合わせされ得る。
【００２６】
さらに他の例示的な実施形態では、ブレードセットは両側ブレードセットであり、静止ブレード及びカッタブレードは、第１の歯付き前縁部及び第１の歯付き前縁部から離れる方を向く第２の歯付き前縁部を定め、第１の歯付き前縁部及び第２の歯付き前縁部は、互いに長手方向に離間され、皮膚プロテクタは、第１の歯付き前縁部に関連付けられるガイドタブの第１の配置及び第２の歯付き前縁部に関連付けられるガイドタブの第２の配置を有する。
【００２７】
二側又は両側配置は、切断ヘッドが、基本的に細長いが少なくとも僅かに湾曲したハウジングを有する毛切断器具に取り付けられるとき、より多くの体の領域に切断ヘッドが到達し得るという利点を有し得る。さらに、ユーザは、毛切断器具を押すとともに引くことができ、いずれの場合も、２つの歯付き前縁部の１つの歯付き前縁部が毛を切断し得る。したがって、ストロークの押す段階及び引く段階の両方が毛を切断するために使用されることができ、機能しない行程が減らされることができる。切断性能はしたがって増加することができる。
【００２８】
第１の歯付き前縁部における静止ブレードの歯及び第２の歯付き前縁部における静止ブレードの歯が互いに横方向にオフセットされ、ガイドタブの第１の配置及びガイドタブの第２の配置が、同様の方法で互いにオフセットされることが、この文脈においてさらに好ましくなり得る。
【００２９】
言い換えると、切断ヘッド、特にそのブレードセット、より具体的には、静止ブレードは、基本的に非対称な方法で構成され得る。横方向Ｚにおける第１の歯付き前縁部と第２の歯付き前縁部との間の少なくとも僅かなオフセットが、存在し得る。しかし、第１の歯付き前縁部及び第２の歯付き前縁部の歯のそれぞれの「ピッチ」が、一定であり得る。例として、横方向Ｚにおいて、静止ブレードの第１の歯付き前縁部の歯は、静止ブレードの第２の歯付き前縁部の歯の間の歯溝と位置合わせされ得る。したがって、皮膚プロテクタのガイドタブもまた、第１の歯付き前縁部及び第２の歯付き前縁部において歯の位置と合致するように対応して適合されることが必須である。
【００３０】
さらに他の例示的な実施形態では、皮膚プロテクタは、切断ヘッドに解放可能に取り付けられるアタッチメント皮膚プロテクタとして構成され、皮膚プロテクタは好ましくは、弾性材料、特にプラスチック材料から作られる一体形成部品である。例として、静止ブレード及びカッタブレードは、金属材料、特に板金材料から少なくとも部分的に形成され得る。皮膚プロテクは、切断動作に直接関係しないので、プラスチック材料のような、柔らかい材料が用いられ得る。これは、皮膚プロテクタの熱伝導率が比較的低いという更なる利点を有し得る。したがって、切断動作の過程でカッタブレードと静止ブレードとの間に発生し得る熱は、皮膚プロテクタを大幅に加熱することができない。
【００３１】
他の例示的な実施形態では、皮膚プロテクタのセットが提供され、このセットは、切断ヘッドに解放可能に取り付けられ且つそれらのガイドタブの数及び形状において異なる。
【００３２】
さらに他の例示的な実施形態では、皮膚プロテクタ及び切断ヘッドは、皮膚プロテクタの逆にされた取り付けが妨げられることができるように切断ヘッドにおける皮膚プロテクタの取付位置を定めるように構成される、少なくとも１つの位置決め要素及び少なくとも１つの対応する係合要素を有する。これは、１より多い歯付き前縁部を有するブレードセットが用いられるとき、特に有益であり得る。皮膚プロテクタのガイドタブ及び静止ブレードの歯の適切な位置合わせ（アライメント）が、切断性能及び皮膚刺激の回避に重要であるので、皮膚プロテクタの失敗防止組立が特に有益である。少なくとも１つの位置決め要素及び少なくとも１つの対応する係合要素の一方は、皮膚プロテクタに関連付けられ得るとともに、他方は、切断ヘッドのハウジング領域に関連付けられ得る。言い換えると、切断ヘッドにおける皮膚プロテクタの前後逆の取り付け又は接続が基本的に不可能であることを確実にする取り付け機能が存在し得る。
【００３３】
さらに他の有益な実施形態では、ブレードセット及び切断ヘッドのハウジング領域は、ブレードセットの逆にされた取り付けが妨げられることができるように切断ヘッドにおけるブレードセットの取付位置を定めるように構成される少なくとも１つの位置決め要素及び少なくとも１つの対応する係合要素を有する。
【００３４】
さらに他の有益な実施形態では、皮膚プロテクタ及びブレードセットは、皮膚プロテクタの逆にされた取り付けが妨げられることができるように、ブレードセットに対する皮膚プロテクタの取付位置を定めるように構成される少なくとも１つの位置決め要素及び少なくとも１つの対応する係合要素を有する。
【００３５】
本質的に、ブレードセット及び皮膚プロテクタは、切断ヘッドに正しくとりつけられなければならないので、両方の相手ペア（mating  pairs）、皮膚プロテクタ及び切断ヘッド並びに皮膚プロテクタ及びブレードセットが所望の向きで取り付けられることが考慮されなければならない。皮膚プロテクタ及びブレードセットは、直接又は間接の方法で適切に位置合わせされ得る及び／又は相互に配向され得る。最終組立状態において、それぞれの歯付き前縁部及びそれに割り当てられるガイドタブの列は、切断ヘッドにおける本来望まれ且つ定められる位置をとるべきである。
【００３６】
切断ヘッドのさらに他の実施形態では、皮膚プロテクタのガイドタブは、特に皮膚プロテクタの前面において、５．０ｍｍ（ミリメートル）未満である長手方向の長さ（longitudinal  extension）ｌｔを有し、好ましくは、長手方向の長さｌｔは、約３．０ｍｍである。これらの値は、切断ヘッドの切断性能及び皮膚保護能力に良い影響を及ぼし得る。
【００３７】
さらに他の実施形態では、皮膚プロテクタの前面は、約０．０ｍｍから約０．５ｍｍの範囲、好ましくは約０．３５ｍｍから約０．５ｍｍの範囲のオフセット寸法ｌｏで静止ブレードの前面から後方にオフセットされる。上記の範囲は、０．０ｍｍの値を除き得る。結果として、静止ブレードは、皮膚プロテクタの前面を超えて少なくとも僅かに露出され得る。したがって、全体的な切断性能は維持され得る一方、皮膚刺激はさらに減らされ得る。
【００３８】
切断ヘッドのさらに他の実施形態では、皮膚プロテクタのガイドタブは、それらの長手方向端部に端部先端部を有し、端部先端部は、前面とガイドタブのそれぞれの傾斜端部表面とを接続し、前面とガイドタブの傾斜端部表面との間の傾斜の角度α（アルファ）が、約３０°から６０°（度）の範囲にある。好ましくは、傾斜の角度αは、約４０°から５０°の範囲にある。より好ましくは、傾斜の角度αは、約４５°である。概して、傾斜端部表面は内向きに傾斜し得る。言い換えると、皮膚プロテクタの前方部分における皮膚プロテクタの全長手方向長さは、皮膚プロテクタの後方部分における皮膚プロテクタの全長手方向長さより大きくなり得る。概して、ガイドタブのそれぞれは、三角形又はくさび形であり得る。皮膚プロテクタにおけるガイドタブの列は、それぞれの全体にわたる傾斜端部表面を定め得る。好ましくは、ガイドタブの端部先端部は、丸くされる。さらに、ユーザの皮膚と接触し得る皮膚プロテクタの、特にガイドタブの、外部エッジは、丸くされ得る。
【００３９】
さらに他の実施形態では、皮膚プロテクタは、フレームボディによって形成されるループ状閉鎖構造を有し、閉鎖構造はブレード開口を囲み、ブレードセットは、取付状態においてブレード開口に配置され、フレームボディは、長手方向端部において２つの反対側の、実質的に横方向に及び垂直に延びるベースラグ（base  lug）、及び横方向端部において、２つの反対側の、実質的に長手方向に及び垂直に延びる側部ラグ（side  lug）を有し、ベースラグ及び側部ラグの少なくとも一方は、取付アライメント機構、具体的には凹部又は突出部を有する。好ましくは、取付アライメント機構は、反対側のベースラグ又は側部ラグに存在しない。したがって、取付動作の過程における皮膚プロテクタの位置ずれが回避され得る。
【００４０】
上述の実施形態は、側部ラグがブレードセットの横方向端部に隣接して配置される基本的にＵ形状の横方向ブラケット部分に結合されるという点においてさらに開発され得る。横方向ブラケット部分は、ブレードセットの前面に平行な平面で見られる以外ではＵ形状であり得る。ベースラグは、スナップ留め機構を有し得るとともに、切断ヘッドのハウジング領域における相手係合要素（mating  engagement  element）に係合させるための少なくとも１つの係合要素を含む。代替的には、又は追加で、側部ラグは、スナップ留め機構を有し得るとともに、切断ヘッドのハウジング領域における相手係合要素（mating  engagement  element）に係合させるための少なくとも１つの係合要素を含む。概して、皮膚プロテクタは、取付櫛部と基本的に同様の全体的な外観を有し得る。しかし、取付櫛部は典型的には、所望の残りの長さに毛を切ることを可能にするようにブレードセットを皮膚から離間させる。対照的に、皮膚プロテクタは、ブレードセット、特にその静止ブレードが、皮膚プロテクタに対して少なくとも僅かに持ち上げられるように、形成される。したがって、皮膚プロテクタは基本的に、切断長さに影響を及ぼさない。
【００４１】
本開示の他の態様によれば、毛切断器具、具体的には、電動ボディグルーミング器具が提示され、毛切断器具は、本明細書に開示される少なくとも幾つかの実施形態による切断ヘッド及び皮膚プロテクタを有する。一般的に、毛切断器具は、電動毛切断器具と見なされ得る。したがって、モータが、ブレードセットを駆動するために設けられ得る。典型的には、可動カッタとも称され得るカッタブレードは、静止ブレードに対して移動可能である。カッタブレードは、静止ブレードに対して、特に振動する又は往復動する方法で、駆動され得る。概して、毛切断器具は、少なくとも僅かに湾曲し得る細長いハウジングを有することができ、ハウジングはさらに、第１の端部及び第１の端部の反対側にある第２の端部を有し得る。ハウジングの第１の端部に、切断ヘッドが配置されることができ、そこに、皮膚プロテクタが取り付けられ得る。毛切断器具のハウジングの第２の端部は、ハンドル端部と称され得る。毛切断器具は、全身トリマと称され得る。
【図面の簡単な説明】
【００４２】
本発明のこれらの及び他の態様は、以下に記載される実施形態から明らかになるとともに同実施形態を参照して説明されるであろう。
【図１】電気毛切断器具、特に電動ボディグルーミング器具の例示的な実施形態の概略斜視図を示す。
【図２】駆動機構によって駆動されることができる毛切断器具のためのブレードセットの斜視図を示す。
【図３】図２によるブレードセットの長手方向側面図を示す。
【図４】図３の線ＩＶ−ＩＶに沿った図２及び３によるブレードセットの横方向部分断面側面図を示す。
【図５】ブレードセットの静止ブレード及びカッタブレードの斜視図を示し、静止ブレード及びカッタブレードは分解された状態で示されている。
【図６】ブレードセット及び切断ヘッドに取り付けられた皮膚プロテクタを有する切断ヘッドの実施形態の斜視図を示し、ハウジング部分は説明用に取り外されている。
【図７】図６に示された切断ヘッドの配置の部分正面図である。
【図８】図７の線ＶＩＩＩ−ＶＩＩＩに沿った図６及び７に示された切断ヘッドの部分断面側面図である。
【図９】図７の線ＩＸ−ＩＸに沿った図６及び７に示された切断ヘッドの部分断面側面図である。
【図１０】ブレードセットに結合される皮膚プロテクタの部分詳細長手方向側面図である。
【図１１】切断ヘッド及び切断ヘッドに取り付けられることができる皮膚プロテクタの部分斜視図であり、皮膚プロテクタは図１１において分離した状態で示されている。
【図１２】別の向きの図１１に示された切断ヘッドの配置の他の斜視図であり、皮膚プロテクタは取り付けられた状態で示され、切断ヘッドの部分断面図が示されている。
【発明を実施するための形態】
【００４３】
図１は、毛切断器具１０、特にボディグルーミング器具１０の例示的な実施形態を、単純化された斜視図で、概略的に示す。上述のように、毛切断器具１０はまた、全身グルーミング器具とも称され得る。毛切断器具１０はしたがって、顔の毛及び／又は頭の毛を切ることを主に意図するものではない。むしろ、毛切断器具１０は、陰部、脇の下の領域、等のような、敏感な体の領域の毛を切るのに特に適する。
【００４４】
毛切断器具１０は、細長いハウジング１２を有する。ハウジング１２は、第１の端部及び第１の端部から反対側の第２の端部を有する。ハウジング１２の第２の端部はまた、ハンドル端部とも称され得る。一般的に、ハウジング１２は、ユーザがハウジング１２を握り得るハンドル部分１４を有する。一般的に、ハウジング１２は、管状又はシャフト状の方法で形成され得る。さらに、ハウジング１２は、長手方向の細長い延長において少なくとも僅かに湾曲又はバナナ形状にされ得る。
【００４５】
ハウジング１２はさらに、オペレータ制御部１６、例えば、オン／オフボタン等を有し得る。ハウジング１２の第１の端部に、切断ヘッド１８が設けられ得る。ハウジング１２の第１の端部はしたがって、首部とも称され得る。図１に示されるように、切断ヘッド１８は、ブレードセット２０を有し得る。ブレードセット２０は、少なくとも１つの歯付き前縁部２２、２４を定め得る。図１では、ブレードセット２０は、第１の歯付き前縁部２２及び第１の歯付き前縁部２２から離れる方を向く第２の歯付き前縁部２４を定める。
【００４６】
毛を切るために、ユーザは、ハンドル部分１４で毛切断器具１０のハウジング１２を握り得るとともに毛を通して切断ヘッド１８を参照数字２８によって示される移動方向に動かし得る。理想的な移動方向２８は、ブレードセット２０の切断動作の方向とも称され得る（参照数字３０によって示される）横方向と概して直角であり得る。切断ヘッド１８のハウジング領域が、参照数字３２によって図１に示されている。さらに、参照数字３４によって示される破線は、切断ヘッド１８がハウジング１２に取り付けられ得る取付インタフェース３４を示す。幾つかの実施形態では、切断ヘッド１８は、ハウジング１２に解放可能に取り付けられ得る。しかし、代替実施形態では、切断ヘッド１８は、ハウジング１２に恒久的に且つ固定して取付けられ得る。したがって、これらの実施形態では、取付インタフェース３４が設けられる必要はない。
【００４７】
図１では、ハウジングの長手方向／細長い延長の主方向が、参照数字２６によって示されている。ハウジング１２は、少なくとも僅かに傾斜され得る及び／又は湾曲され得る。結果として、切断ヘッド１８及びブレードセット２０は、細長い方向２６に直角である平面に対して少なくとも僅かに傾斜され得る。したがって、ブレードセット２０が第１の歯付き前縁部２２及び第２の歯付き前縁部２４を定め得ることを考慮すれば、毛切断器具１０のユーザ又はオペレータは、毛切断器具１０を少なくとも２つの異なる操作の向きで操作し得る。これは、離れた且つ到達しづらい皮膚領域に到達することを容易にし得る。
【００４８】
ハウジング１２はさらに、ブレードセット２０のための駆動機構を収容し得る。駆動機構（図１には示されていない）は、電気モータ並びにモータ及びブレードセット２０に結合し得る力伝達ユニットを有し得る。さらに、内部制御ユニットが設けられ得る。毛切断器具１０は、電池で動く及び／又はコンセントで動く／電線で動き得る。したがって、少なくとも幾つかの実施形態では、ハウジング１２はさらに、バッテリユニットを収容し得る。好ましくは、毛切断器具１０は、防水式に設計される。これは、ユーザが、毛切断器具１０を基本的に湿った環境、例えば、浴槽又はシャワーの中で操作し得ることを含み得る。
【００４９】
参照の便宜上、座標系が本明細書の幾つかの図面に示されている。例として、デカルト（右手）座標系Ｘ−Ｙ−Ｚが図２に示されている。それぞれの座標系の軸Ｘは、本開示のために、概して長さに関連付けられる概して長手方向に延びる。座標系の軸Ｙは、説明目的のために、少なくとも幾つかの実施形態において、概して垂直方向と称され得る、高さ（又は垂直）方向に延びる。座標系の軸Ｚは、本開示のために、幅に関連付けられる横（又は横断）方向に延びる。座標系Ｘ−Ｙ−Ｚの毛切断器具１０の特徴及び／又は実施形態との関連付けは、主に説明目的のために提供され、限定する方法で解釈されるものではないことは言うまでもない。当業者は、異なる向きを含む代替実施形態、それぞれの図及び説明に直面するとき、本明細書に提供される座標系を容易に転換及び／又は変換し得ることが理解されるべきである。本開示のために、座標系Ｘ−Ｙ−Ｚは概して、ブレードセット２０を含む切断ヘッド１８の主方向及び向きに位置合わせされることはさらに言及する価値がある。
【００５０】
さらに図２乃至５が参照される。図２は、図１に示された切断ヘッド１８に実装され得るブレードセット２０の斜視図である。ブレードセット２０は、静止ブレード３６及び、毛を切るために横方向Ｚと基本的に平行である切断方向３０に互いに対して動かされ得るカッタブレード３８を有する。静止ブレード３６及びカッタブレード３８は、図５により詳細に分解された状態で示される。
【００５１】
再び図２及び図３が参照される。ブレードセット２０はさらに、静止ブレード３６のためのベースを形成し得る受けフレーム４０を有する。受けフレーム４０は、切断ヘッド１８のハウジング領域３２に結合され得る支持弓（bow）又は支持ブラケット４４を有し得、図１及び図１１も参照されたい。支持ブラケット４４は、一方では、静止ブレード３６を直接又は間接の方法で受け得る。静止ブレード３６は、支持ブラケット４４に固定されるように配置され得る。したがって、支持ブラケット４４と静止ブレード３６との間の相対運動は、ブレードセット２０を動作させるとき、意図されない。
【００５２】
図３及び４に最も良く見ることができるように、カッタブレード３８もまた、受けフレーム４０に配置され得る。しかし、カッタブレード３８は、移動可能な方法で、特に摺動自在に移動可能な方法で受けられ得る。カッタブレード３８は、切断方向３０に静止ブレード３６に対して動かされ得る。このために、カッタブレード３８は、駆動機構のドライバ４８によって係合され得る伝達部４６に取り付けられ得る。例として、ドライバ４８は、ハウジング１２（図２には示されていない）に取り付けられ得る又は結合され得るピボット軸５０に取り付けられることができる回動可能な駆動レバー（pivotable  driving  lever）として配置され得る。軸５０周りのドライバ４８の駆動回動運動（driving  pivoting  motion）が、参照数字５２によって図２に示されている。したがって、ドライバ４８の振動回転運動（oscillating  swiveling  motion）が静止ブレード３６に対するカッタブレード３８の往復スライド運動に変換されることができる。伝達部４６に結合される出力端部の反対側であるドライバ４８の入力端部において、モータ、特に、その出力シャフトの偏心部分が、ドライバ４８に係合し得る。図２に最も良く見ることができるように、ドライバ４８は、少なくとも僅かに湾曲し得る。結果として、ブレードセット２０は、それぞれの電気モータの出力シャフトの向きに対して少なくとも僅かに傾斜し得る。
【００５３】
さらに、少なくとも１つの付勢要素４２が、支持ブラケット４４とカッタブレード３８との間に配置され得る。付勢要素４２、特に、第１及び第２の付勢要素４２は、切断性能を向上させるために、カッタブレード３８を実際に付勢して静止ブレード３６に接触させ得る。さらに、付勢要素４２は、カッタブレード３８にリセット力を加え得るとともに、さらに、カッタブレード３８の運動を緩和又は減衰させ得る。これは、切断性能及びブレードセット２０の稼働ノイズに良い影響を及ぼし得る。
【００５４】
ブレードセット２０の横方向端部において、支持ブラケット４４と静止ブレード３６を接続する横方向コネクタ５６が設けられ得る。ブレードセット２０の第１の歯付き前縁部２２及び第２の歯付き前縁部２４は概して、横方向Ｚに延び得る。第１の歯付き前縁部２２及び第２の歯付き前縁部２４は、長手方向Ｘにおいて互いに離間され得る。
【００５５】
図４から最も良く見ることができるように、静止ブレード３６及びカッタブレード３８は、垂直方向又は高さ方向Ｙに積み重ねられる。静止ブレード３６の前面が、図３に参照数字５８によって示される。前面５８は、ブレードセット２０が動作しているとき、典型的には皮膚に面する静止ブレード３６の側部又は表面である。典型的には前面５８から離れる方を向く後面が、図３に参照数字６０によって示される。カッタブレード３８は、静止ブレード３６とその後面６０で接触する。
【００５６】
図４からさらに見ることができるように、第１の歯付き前縁部２２及び第２の歯付き前縁部２４に関連付けられる静止ブレード３６のそれぞれの部分は、少なくとも僅かに傾斜及び／又は湾曲され得る。したがって、前面５８及び後面６０は、互いに並びに／又は長手方向Ｘ及び横方向Ｚによって定められる平面に必ずしも完全に平行である必要はない。しかし、前面５８及び後面６０は、前述の平面Ｘ−Ｚに実質的に平行であることが想定され得る。
【００５７】
特に図４及び図５を参照すると、ブレードセット２０の例示的な実施形態が、さらに詳述される。ブレードセット２０の歯付き前縁部２２、２４は、静止ブレードの一連の歯６２及びカッタブレードの対応する一連の歯６４によって形成され得る。歯６２、６４は、基本的に長手方向Ｘに延び得る。一列又は一連の歯６２、６４は、基本的に横方向Ｚに延び得るとともに対応する前縁部２２、２４を形成し得る。歯６２、６４の間に、それぞれの歯溝又はスロットが設けられ得る。毛は、スロットに入り、次に、静止ブレード３６に対するカッタブレード３８の相対運動のために切断され得る。静止ブレード３６の歯６２の先端が、図３及び４において、参照数字６６によって示されている。カッタブレード３８の歯６４の先端が、図３及び４において、参照数字７２によって示されている。静止ブレード３６の歯６２及びカッタブレード３８の歯６４の両方は、少なくともそれらの横方向側部において、互いに向き合う切断エッジを有し得るとともに、カッタブレード３８が静止ブレード３６に対して動かされるとき、ハサミで切る又はせん断作用で毛を切るようにブレードに接触するようになり得る。
【００５８】
図４及び図５からさらに見ることができるように、カッタブレード３８は、ガイド又は摺動スロット６８を形成する基本的にＵ形状のフレームボディを有し得る。Ｕ形状輪郭の端部に、歯付き部分が設けられることができ、これは、静止ブレード３６のそれぞれの歯６２とともに前縁部２２、２４を形成する。概して、カッタブレード３８は、それに応じて形成され且つ処理され得るシートメタルブランク（sheet  metal  blank）から得られ得る。
【００５９】
静止ブレード３６は、翼の様な様式に形成され得るとともに接続又は接着され得る２つの部分から構成され得る。構成要素のそれぞれは、第１の歯付き前縁部２２及び第２の歯付き前縁部２４それぞれの一方の歯６２を結局は形成し得る。翼形状構成要素のそれぞれは、基本的にＬ形状セクションを有し得る。両方の構成要素は、例えば、接着、溶接等により、互いに適切に取り付けられ得る。したがって、静止ブレード３６は、横方向Ｚに延びる基本的にＴ形状輪郭を有し得る。Ｔ形状輪郭のステムが、カッタブレード３８のガイド又は摺動スロット６８と協働するように配置されるガイド支持部７０を定め得る。組立てられた状態では、ガイド支持部７０は、摺動スロット６８に挿入され得る。したがって、静止ブレード３６は、カッタブレード３８の対応するスロットに係合するカッタブレード３８のための突出ガイドを提供し得る。カッタブレード３８は、静止ブレード３６に対して、横方向Ｚに往復動する方法で動かされ得る。長手方向Ｘ及び垂直方向Ｙにおけるガイド支持部が、静止ブレード３６によって提供される。付勢要素４２は、カッタブレード３８を静止ブレード３６に対して付勢して当接させ得る。したがって、カッタブレード３８の長手方向位置及び垂直位置は、十分に定められ得る。
【００６０】
再び図２及び３が参照される。図３から見ることができるように、ブレードセット２０は、長手方向Ｘ及び垂直方向Ｙに平行である中心面に対して基本的に対称に形成される。しかし、ブレードセット２０は、定められた向きで切断ヘッド１８（図１）に常に取り付けられることが好ましい。特に、ブレードセット２０のいわゆる前後逆の取付が回避されるべきである。したがって、少なくとも幾つかの実施形態では、ブレードセット２０が切断ヘッド１８に所望の向きでのみ取り付けられることができることを確実にする少なくとも１つの係合要素５４を持つ、ブレードセット２０、特にその受けフレーム４０を提供することが好ましい。例として、横方向コネクタ５６は、それぞれの特徴部を備え得る。図２及び３に見ることができるように、例示の係合要素５４が、例えば係合タブを有し得るが、他の形状も可能である。概して、係合タブ５４は、受けフレーム４０における、特にその横方向コネクタ５６における、突出部又は凹部として配置され得る。係合要素５４は、ハウジング領域３２に設けられる対応する相手係合要素１０８に係合するように配置されることができ、図１１も参照されたい。
【００６１】
さらに図６乃至１２が参照される。図６から見ることができるように、皮膚ガード又は皮膚プロテクタ７６が、切断ヘッド１８に、特にそのハウジング領域３２に取り付けられ得る。皮膚プロテクタ７６は、弾性材料から、特にプラスチック材料から作られることができる。好ましくは、皮膚プロテクタ７６は、一体に形成される部品である。皮膚プロテクタ７６は、切断ヘッド１８に解放可能に取り付けられ得る。代替形態では、皮膚プロテクタ７６は、恒久的に固定して取付けられ得る。結果として、皮膚プロテクタ７６は、切断ヘッド１８の追加部品又は一体部品として提供され得る。皮膚プロテクタ７６は、少なくとも１列のガイドタブ７８を有し得る。好ましくは、皮膚プロテクタ７６は、第１の歯付き前縁部２２に関連付けられる第１の列のガイドタブ７８及び第２の歯付き前縁部２４に関連付けられる第２の列のガイドタブ７８を有する。図７及び図１０から最も良く見ることができるように、ガイドタブ７８は、好ましくは、静止ブレード３６の歯６２に、特に長手方向Ｚにおいて、位置合わせされ得る。結果として、ガイドタブ７８は、歯６２の長手方向延長部として機能し得るとともに、それぞれの皮膚部分がブレードセット２０と接触するようになる前に、剃られることになる皮膚領域の皮膚を準備させ得る
【００６２】
さらに図６から見ることができるように、皮膚プロテクタ７６は、フレームボディ８０、好ましくは、その中にブレードセット２０、特にその静止ブレード３６が皮膚プロテクタ７６の取り付け状態で配置され得るブレード開口８２（図１１も参照）を囲む閉鎖フレームボディ８０を有し得る。フレームボディ８０はさらに、長手方向Ｘに離間されるとともに概して横方向Ｚ及び垂直方向Ｙに延びる２つのベースラグ８４を有し得る。さらに、フレームボディ８０は、横方向Ｚに離間されるとともに横方向Ｘ及び素直方向Ｙに基本的に延びる２つの側部ラグ８６を有し得る。側部ラグ８６はさらに、オペレータの手によって容易に握ることができる、ハンドリング特徴部、特にハンドリング突起又は刻み目を有し得る。さらに、２つのベースラグ８４の一方は、ハウジング領域３２における、対応する位置合わせ機構、特に位置合わせ突出部１０６と係合するように配置される、位置合わせ又は位置決め機構、特に位置決め凹部８８を備えることができ、特に図１１を参照されたい。図１３から最も良く見ることができるように、反対側のベースラグ８４は、好ましくは、それぞれの位置決め凹部８８を備えない。結果として、皮膚プロテクタ７６は、ハウジング領域３２に１つの所望の向きでのみ取り付けられることができる。取付の失敗が、回避されることができる。
【００６３】
代替的に又は追加で、ベースラグ８４は、ハンドリング特徴部、特に、突出部、刻み目等を有し得る。代替的に又は追加で、側部ラグは８６、ハウジング領域３２にそれぞれの位置合わせ機構を係合させるように配置される位置合わせ又は位置決め機構を備え得る。
【００６４】
皮膚プロテクタ７６のフレームボディ８０はさらに、基本的にベースラグ８４をそれに離接する側部ラグ８６と接続する支持ブラケット９０を有する。ベースラグ８４の前端部に、皮膚プロテクタ７６のそれぞれのガイドタブ７８が設けられる。ガイドタブ７８のそれぞれの前端面によって定められる皮膚プロテクタ７６の前面が、参照数字９２によって図６に示され、図８及び図９も参照されたい。
【００６５】
図８及び図９がさらに参照され、これらのそれぞれは、切断ヘッド１８の拡大部分断面図を示している。図８は、図７の線ＶＩＩＩ−ＶＩＩＩに沿って取られた中心断面図を示す。図９は、図７の線ＩＸ−ＩＸに沿って取られた断面図を示す。ブレードセット２０、特に、その静止ブレード３６は、皮膚プロテクタ７６の前面９２を超えて少なくとも僅かに突出することが好ましい。例として、静止ブレード３６の前面５８は、オフセット寸法ｌｏだけ皮膚プロテクタ７６の前面９２からオフセットされ得る。言い換えると、前面９２は、静止ブレード３６の前面５８から後方にオフセットされ得る。概して、静止ブレード３６の前面５８は、基本的に同じ高さで平らな形状を有し得る。概して、皮膚プロテクタ７６の前面９２は、基本的に同じ高さで平らな形状を有し得る。しかし、図８及び９からも見ることができるように、それぞれの前面５８、９２は、必ずしも完全に平ら且つ互いに平行である必要はない。これは、特に、それぞれの歯付き前縁部２２、２４に関連付けられる前面５８、９２の反対側のセクションに当てはまり得る。
【００６６】
好ましくは、オフセット寸法ｌｏは、約（例えば、僅かに超える）０．０ｍｍから約０．５ｍｍの範囲にある。より好ましくは、このオフセット寸法は、約０．１５ｍｍから約０．５ｍｍの範囲にある。定義を簡単にするために、このオフセット寸法ｌｏは、静止ブレード３６と静止ブレード３６の歯６２の先端６６に近接した皮膚プロテクタ７８との間の移行部（又は移行部に隣接する位置）で決定され得る。好ましくは、垂直オフセットが決定され、これはオフセット寸法ｌｏと見なされ得る。しかし、オフセット寸法ｌｏを決定するための更なる方法が想定されることができ、例えば、静止ブレード３６の前面５８の最上点と皮膚プロテクタ７８の前面９２との間の垂直オフセットを決定することによる。
【００６７】
図８からさらに見ることができるように、ガイドタブ７８は、基本的に三角形を有し得る。ガイドタブ７８は、前面９２及び前面９２から基本的に離れる方を向く傾斜端部表面９８によって区切られ得る。前面９２及び傾斜端部表面９８は、ガイドタブ７８の端部先端部９６で互いに結合し得る。傾斜端部表面９８と前面９２との間の傾斜の角度αが、約３０°から約６０°（度）の範囲に、好ましくは、約４０°から約５０°の範囲にあり得る。これらはさらに、皮膚プロテクタ７６を取り付けられる切断ヘッド１８の切断性能及び皮膚保護性能を向上させ得る。
【００６８】
ガイドタブ７８の長手方向長さｌｔが、図９に示されている。好ましくは、この長手方向長さｌｔは、約０．０ｍｍから約５．０ｍｍの範囲にある。より好ましくは、長手方向長さｌｔは、約２．０ｍｍから約４．０ｍｍの範囲にあり、さらにいっそう好ましくは、約２．５ｍｍから約３．５ｍｍの範囲にあり、さらにより好ましくは、この長手方向長さｌｔは、約３．０ｍｍである。上述の範囲及び値は、切断ヘッド１８の輪郭追従能力と皮膚保護性能並びに切断ヘッドの毛切断能力の間の有利なトレードオフと見なされ得る。
【００６９】
図９からさらに見ることができるように、ブレードセット２０に関連付けられる少なくとも１つの係合要素５４、例えば、係合タブは、−取り付けられた状態において−、ハウジング領域３２に設けられる、対応する位置決め要素１０８に、例えば、位置決め凹部に係合し得る。
【００７０】
図１０、１１及び１２がさらに参照される。図１１及び１２から最も良く見ることができるように、ベースラグ８４はさらに、少なくとも１つの係合要素又はスナップ留め要素９４を有し得る。この目的のために、ベースラグ８４は、スナップ留め要素９４が切断ヘッド１８のハウジング領域に設けられる少なくとも１つの対応する相手係合要素１００と付勢されて接触し得るように、定められ得る。したがって、皮膚プロテクタ７６とハウジング領域３２との間のスナップ留め又はクリップ留め接続が達成され得る。好ましくは、皮膚プロテクタ７６は、ハウジング領域３２に解放可能に取り付け可能である。スナップ留め９４は、図１０及び１１で基本的に隠れており、したがって、破線によって示されている。代替的には、又は追加で、側部ラグ８６は、ハウジング領域３２において側部ラグのための受け部分で対応する機構と係合し得るそれぞれのスナップ留め機構を備え得る。概して、スナップ留め要素は、切断ヘッド１８における皮膚プロテクタ７４の締まりばめ及び／又は圧力ばめ取付が達成され得るように、それらの相手部分に付勢されて接触し得る。
【００７１】
本発明が図面及び前述の説明において詳細に例示され説明されているが、このような例示及び説明は説明又は例示とみなされるべきであり、限定的ではない；本発明は、開示された実施形態に限定されるものではない。開示された実施形態に対する他の変形形態は、当業者によって、図面、明細書、及び添付の請求項の検討から、理解されるとともに、請求項に記載された発明を実施する際に実施されるであろう。
【００７２】
請求項において、用語“有する”は他の要素又はステップを除外せず、不定冠詞“ａ”又は“ａｎ”は複数を除外しない。単一の要素又は他のユニットは、請求項に記載の複数の項目の機能を実行し得る。特定の手段が相互に異なる従属項に記載されているという単なる事実は、これらの手段の組み合わせが有利に使用できないことを示すものではない。
【００７３】
請求項の如何なる参照符号もその範囲を限定するものとして解釈されるべきではない。
【図１】
2017500961.tif 000003
【図２】
2017500961.tif 000004
【図３】
2017500961.tif 000005
【図４】
2017500961.tif 000006
【図５】
2017500961.tif 000007
【図６】
2017500961.tif 000008
【図７】
2017500961.tif 000009
【図８】
2017500961.tif 000010
【図９】
2017500961.tif 000011
【図１０】
2017500961.tif 000012
【図１１】
2017500961.tif 000013
【図１２】
2017500961.tif 000014
【国際調査報告】
2017500961.tif 000015
2017500961.tif 000016